(57)【要約】【課題】  ハンマーを大型化することなく、ハンマーに重量を効果的に付与でき、それにより、より重厚なタッチ重さを得ることができる電子楽器のハンマーを提供する。【解決手段】  鍵７の押鍵に連動して回動する電子楽器のハンマー１であって、ハンマー１は、前後方向に延び、鍵７の押鍵に連動して回動するハンマー本体２と、ハンマー本体２の左右の取付面２ａ，２ａに取り付けられるとともに、取付面２ａから突出し、互いに間隔を隔てて対向する突出部３ｂ，３ｂを有する２枚の質量板３，３と、ハンマー１に重量を付与するために、２枚の質量板３の突出部３ｂの間に設けられた付加質量部４と、を備える。【選択図】  図１
2005196091.tif 000002
【特許請求の範囲】
【請求項１】
鍵の押鍵に連動して回動する電子楽器のハンマーであって、
前記ハンマーは、
前後方向に延び、前記鍵の押鍵に連動して回動するハンマー本体と、
当該ハンマー本体の左右の取付面に取り付けられるとともに、当該取付面から突出し、互いに間隔を隔てて対向する突出部を有する２枚の質量板と、
前記ハンマーに重量を付与するために、前記２枚の質量板の前記突出部の間に設けられた付加質量部と、
を備えることを特徴とする電子楽器のハンマー。
【請求項２】
前記２枚の質量板および前記付加質量部は、金属で構成され、当該付加質量部は、前記２枚の質量板の一方に溶接されていることを特徴とする、請求項１に記載の電子楽器のハンマー。
【請求項３】
前記付加質量部は、他方の前記質量板の内面との間に空隙を隔てた状態で設けられていることを特徴とする、請求項２に記載の電子楽器のハンマー。
【請求項４】
前記付加質量部は、合成樹脂で構成されていることを特徴とする、請求項１に記載の電子楽器のハンマー。
【発明の詳細な説明】
【技術分野】
【０００１】
本発明は、鍵の押鍵に連動して回動する電子楽器のハンマーに関する。
【背景技術】
【０００２】
従来のこの種のハンマーとして、例えば特許文献１に開示されたものが知られており、図６はその白鍵用のハンマー５１を示している。このハンマー５１は、前後方向（同図の左右方向）に延びるハンマー本体５２と、ハンマー本体５２の前部の左右の側面に取り付けられ、ハンマー５１に重量を付与するための２枚の質量板５３，５３（１つのみ図示）を備えている。ハンマー本体５２は、ＡＢＳ樹脂などの合成樹脂の射出成形品で構成され、その前部の左右の取付面５２ａ，５２ａに、上記質量板５３，５３がそれぞれ取り付けられている。一方、質量板５３，５３は、ハンマー本体５２よりも比重の大きな鋼板などで構成され、ハンマー本体５２の取付面５２ａ，５２ａから上方に突出し、これらの突出部が互いに間隔を隔てて対向している。
【０００３】
以上の構成のハンマー５１は、対応する鍵（図示せず）が押鍵されると、鍵と連動して上方に回動し、それによって、鍵タッチの手応えが付与される。また、この回動の際、質量板５３，５３が、押鍵した鍵の底面から側壁間に入り込むように構成されており、それにより、省スペース化を図るようにしている。
【０００４】
しかし、従来のハンマー５１では、上述したように、質量板５３が、ハンマー本体５２の取付面５２ａ，５２ａに単純に取り付けられているだけなので、その重さが不足することで、ハンマー５１の重量を十分に確保できないおそれがあり、その場合には、重厚な鍵タッチの手応えが得られなくなる。このような不具合を解消するために、例えば質量板５３の高さを大きくすることによって、質量板５３の質量を大きくした場合には、その分、ハンマー５１が大型化する。また、前述したように、ハンマー５１の回動時、質量板５３は、鍵の側壁間に入り込むように構成されているので、ハンマー５１が上記のように大型化された場合には、質量板５３が鍵と接触するおそれがあり、それにより、ハンマー５１の円滑な回動を確保できなくなる。この不具合を回避するためには、質量板５３と鍵の間に十分なスペースを設けることが必要となり、ハンマー５１の大型化だけでなく、鍵盤装置の大型化も招いてしまう。
【０００５】
本発明は、このような課題を解決するためになされたものであり、ハンマーを大型化することなく、ハンマーに重量を効果的に付与でき、それにより、より重厚な鍵タッチの手応えを得ることができる電子楽器のハンマーを提供することを目的とする。
【０００６】
【特許文献１】特開２０００−１２２６５２号公報
【発明の開示】
【課題を解決するための手段】
【０００７】
この目的を達成するために、請求項１に係る発明は、鍵の押鍵に連動して回動する電子楽器のハンマーであって、ハンマーは、前後方向に延び、鍵の押鍵に連動して回動するハンマー本体と、ハンマー本体の左右の取付面に取り付けられるとともに、取付面から突出し、互いに間隔を隔てて対向する突出部を有する２枚の質量板と、ハンマーに重量を付与するために、２枚の質量板の突出部の間に設けられた付加質量部と、を備えることを特徴とする。
【０００８】
この構成によれば、鍵の押鍵に連動してハンマーが回動する。この回動の際、２枚の質量板と付加質量部が、ハンマーの慣性質量として作用することによって、鍵タッチの手応えが付与される。このように、本発明によれば、ハンマー本体の左右の取付面に取り付けた２枚の質量板に加えて、付加質量部が設けられているので、この付加質量部の分、ハンマーの慣性質量が大きくなり、それにより、より重厚な鍵タッチの手応えを得ることができる。また、このハンマーでは、既存の２枚の質量板の突出部の間のスペースを利用して付加質量部が配置されているので、ハンマーを大型化することなく、ハンマーに重量を効果的に付与することができる。
【０００９】
請求項２に係る発明は、請求項１に記載の電子楽器のハンマーにおいて、２枚の質量板および付加質量部は、金属で構成され、付加質量部は、２枚の質量板の一方に溶接されていることを特徴とする。
【００１０】
この構成によれば、２枚の質量板および付加質量部は、金属で構成されるので、この金属として、例えば比較的高い比重を有するものを用いることによって、重量を効果的かつ安価に付与することができる。また、付加質量部が、一方の質量板に溶接されているので、質量板をハンマー本体に取り付ける前に付加質量部を、あらかじめ溶接することが可能であり、それにより、付加質量部の取り付け、ひいてはハンマーの組立を、容易に行うことができる。
【００１１】
請求項３に係る発明は、請求項２に記載の電子楽器のハンマーにおいて、付加質量部は、他方の質量板の内面との間に空隙を隔てた状態で設けられていることを特徴とする。
【００１２】
この構成によれば、一方の質量板に溶接した付加質量部と、他方の質量板の内面との間に空隙が確保されているので、ハンマーの回動の際、例えば２枚の質量板が横振れしたとしても、付加質量部と質量板が接触することがないので、その接触に起因する共振音の発生を確実に防止することができる。
【００１３】
請求項４に係る発明は、請求項１に記載の電子楽器のハンマーにおいて、付加質量部は、合成樹脂で構成されていることを特徴とする。
【００１４】
この構成によれば、付加質量部を構成する合成樹脂として、例えば高比重の合成樹脂を用いることによって、ハンマーに重量を効果的に付与することができる。
【図面の簡単な説明】
【００１５】
【図１】本発明の第１実施形態による電子ピアノのハンマーの（ａ）平面図および（ｂ）側面図である。
【図２】図１のハンマー本体の（ａ）平面図および（ｂ）側面図である。
【図３】図１の（ａ）白鍵用および（ｂ）黒鍵用の質量板の各側面図である。
【図４】図１のハンマーを含む電子ピアノの鍵盤装置の側面図である。
【図５】本発明の第２実施形態による電子ピアノのハンマーの（ａ）平面図および（ｂ）側面図である。
【図６】従来の電子ピアノのハンマーの側面図である。
【発明を実施するための最良の形態】
【００１６】
以下、図面を参照しながら、本発明の好ましい実施形態を、詳細に説明する。なお、以下の説明では、電子ピアノ（電子楽器）を演奏者から見た場合の手前側（図４の左側）を「前」、奥側（図４の右側）を「後」とし、さらに鍵の並び方向を「左右方向」として、説明を行うものとする。図４は、本発明の実施形態によるハンマー１を含む電子ピアノの鍵盤装置５を示している。この鍵盤装置５は、シャーシ６と、シャーシ６に回動自在に取り付けられ、複数の白鍵７ａおよび黒鍵７ｂ（ともに１つのみ図示）から成る複数の鍵７と、鍵７ごとにシャーシ６に回動自在に取り付けられた複数のハンマー１（１つのみ図示）を備えている。
【００１７】
シャーシ６は、例えば、プレス加工された金属板またはＡＢＳ樹脂などの合成樹脂の成形品で構成され、棚板１０にねじ止めされている。図４に示すように、シャーシ６には、後端部に鍵７を支持する鍵用軸孔８が、中央部にハンマー１を支持するハンマー用軸穴９が、それぞれ形成されている。また、シャーシ６には、鍵７およびハンマー１の回動を規制するために、鍵下限ストッパ１２、鍵上限ストッパ１３、ハンマー下限ストッパ１４、およびハンマー上限ストッパ１５が、それぞれ所定の位置に設けられている。これらのストッパ１２〜１５はいずれも、シャーシ６の左右方向の全体にわたる１本の帯状の緩衝材、例えば発泡ウレタンなどで構成されている。
【００１８】
さらに、シャーシ６のハンマー用軸穴９の後ろ側には、鍵７の押鍵情報を検出するための鍵スイッチ１６が設けられている。この鍵スイッチ１６は、シャーシ６にねじ止めされたプリント基板１７と、その上面に設けられたスイッチ本体１８などを備えている。スイッチ本体１８は、プリント基板１７を介して、電子ピアノの発音を制御する制御装置（図示せず）に接続されている。
【００１９】
鍵７（白鍵７ａおよび黒鍵７ｂ）は、例えばＡＢＳ樹脂などの合成樹脂の射出成形品で構成されている。図４に示すように、鍵７の後端部の両側面には、側方に突出する突起７ｃ，７ｃ（１つのみ図示）が形成されており、これらの突起７ｃ，７ｃがシャーシ６の後端部の鍵用軸孔８に係合することによって、鍵７がシャーシ６に回動自在に支持されている。また、鍵７の後部には、突起７ｃよりも前側に、下方に突出するアクチュエータ部７ｄが形成されている。さらに、鍵７の前部の両側面には、下方に延びるフック状のストッパ部７ｅが形成されている。
【００２０】
図１に示すように、ハンマー１は、前後方向に延びるハンマー本体２と、ハンマー本体２の前部の左右両面に取り付けられた２枚の質量板３，３と、これらの質量板３，３の間に設けられた付加質量部４を備えている。ハンマー本体２は、耐衝撃性に優れたＡＢＳ樹脂などの合成樹脂の射出成形品で構成されている。ハンマー本体２の後端部の両側面には、側方に突出する突起２ｂ，２ｂが形成されており、これらの突起２ｂ，２ｂがシャーシ６のハンマー用軸穴９に係合することによって、ハンマー１がシャーシ６に回動自在に支持されている。
【００２１】
ハンマー本体２の突起２ｂよりも後ろ側には、スイッチ押圧部２ｃが形成されている。スイッチ押圧部２ｃは、鍵スイッチ１６のスイッチ本体１８に上方から対向するとともに、鍵７のアクチュエータ部７ｄが上方から当接している。
【００２２】
図２に示すように、ハンマー本体２の前部の左右の側面は、質量板３，３を取り付けるための取付面２ａ，２ａになっている。取付面２ａの中央部には、質量板３，３をリベット止めするためのリベット孔２ｅが、取付面２ａ，２ａ間を貫通するように形成されている。また、取付面２ａのリベット孔２ｅの前後には、質量板３を位置決めするための位置決め用突起２ｆ，２ｆが設けられている。また、取付面２ａの前端には、ストッパ部２ｄが前方に突出するように形成されている。
【００２３】
各質量板３は、比重が比較的大きな金属板、例えば鋼板で構成されている。図３に示すように、質量板３は、白鍵用の質量板（同図（ａ））と、これよりも高さの低い黒鍵用の質量板（同図（ｂ））で構成され、ハンマー本体２の取付面２ａと同じ形状および大きさを有する取付部３ａと、取付部３ａから上方に突出する突出部３ｂを備えている。また、各質量板３には、ハンマー本体２の取付面２ａの位置決め用突起２ｆ，２ｆに対応する位置に、位置決め孔３ｃ，３ｃが、リベット孔２ｅに対応する位置に、リベット孔３ｄが、それぞれ貫通するように形成されている。
【００２４】
付加質量部４は、質量板３，３に加えて、ハンマー１に重量を付与するためのものであり、金属の板、例えば鋼板で構成され、図１に示すように、質量板３の突出部３ｂとほぼ同じ形状および大きさを有するとともに、所定の厚さを有している。この付加質量部４は、一方の質量板３の内面の突出部３ｂに対応する位置に、例えばスポット溶接によって取り付けられている。
【００２５】
以上の構成の２枚の質量板３は、図１に示すように、その位置決め孔３ｃ，３ｃをハンマー本体２の各取付面２ａの位置決め用突起２ｆ，２ｆに係合させて位置決めした後、両質量板３，３およびハンマー本体２のリベット孔３ｄ，２ｅに通したリベット１１によって、ハンマー本体２の取付面２ａ，２ａにそれぞれ固定されている。なお、質量板３，３をハンマー本体２に取り付けた状態では、２枚の質量板３，３の突出部３ｂ，３ｂが、ハンマー本体２の取付面２ａから上方に突出し、互いに間隔を隔てて対向する。また、これらの突出部３ｂ，３ｂの間に、一方の質量板３に溶接された付加質量部４が配置されるとともに、付加質量部４と他方の質量板３の内面との間に空隙が設けられている。
【００２６】
以上の構成により、図４に示す離鍵状態から鍵７が押鍵されると、鍵７は突起７ｃを中心として下方（図４の反時計方向）に回動し、それに伴い、ハンマー１は、ハンマー本体部２のスイッチ押圧部２ｃが鍵７のアクチュエータ部７ｄで押圧されることによって、突起２ｂを中心として上方（図２の時計方向）に回動する。この回動の際、２枚の質量板３，３と付加質量部４が、ハンマー１の慣性質量として作用することによって、鍵タッチの手応えが付与される。また、鍵７が押鍵されると、その下面が鍵下限ストッパ１２に当接することによって、鍵７の下方への回動が規制されるとともに、ハンマー１は、所定角度まで回動したときに、ハンマー本体２のストッパ部２ｄがハンマー上限ストッパ１５に当接することによって、上方への回動が規制される。
【００２７】
また、このハンマー１の回動に伴い、ハンマー本体２のスイッチ押圧部２ｃが、鍵スイッチ１６のスイッチ本体１８を押下し、オン動作させることによって、鍵７の押鍵情報が検出され、その検出結果に応じて、制御装置により電子ピアノの発音が制御される。
【００２８】
以上のように、本実施形態によれば、ハンマー本体２に、２枚の質量板３，３に加えて付加質量部４が設けられているので、この付加質量部４の分、ハンマー１の慣性質量が大きくなり、それにより、重厚な鍵タッチの手応えを得ることができる。また、付加質量部４は、鋼板で構成されているので、ハンマー１に重量を効果的かつ安価に付与することができる。さらに、このハンマー１では、既存の２枚の質量板３，３の突出部３ｂ，３ｂの間のスペースを利用して、付加質量部４が配置されているので、ハンマー１を大型化することなく、ハンマー１に重量を効果的に付与することができる。
【００２９】
また、本実施形態では、質量板３，３をハンマー本体２に取り付ける前に、付加質量部４を一方の質量板３にあらかじめ溶接しているので、付加質量部４の取り付け、ひいてはハンマー１の組立を、容易に行うことができる。
【００３０】
さらに、本実施形態では、一方の質量板３に溶接した付加質量部４と、他方の質量板３との間に空隙が確保されているので、ハンマー１の回動の際、質量板３，３が横振れしたとしても、付加質量部４と質量板３が接触することがないので、その接触に起因する共振音の発生を確実に防止することができる。
【００３１】
図５は、本発明の第２実施形態による電子楽器のハンマー３１を示している。本実施形態は、上述した第１実施形態と比較し、付加質量部の構成のみが異なるものである。すなわち、第１実施形態では、付加質量部４が鋼板などの金属で構成されているのに対し、この第２実施形態では、付加質量部３４は合成樹脂で構成されている。
【００３２】
付加質量部３４は、高比重の合成樹脂、例えばタングステンを含有したポリアミド系の合成樹脂で構成されている。付加質量部３４は、ハンマー本体２の各取付面２ａに、第１実施形態と同様にして、質量板３を取り付けた後、２枚の質量板３，３の突出部３ｂ，３ｂの間に、合成樹脂を充填することによって設けられている。
【００３３】
以上のように、本実施形態によれば、付加質量部３４が、タングステンを含有した合成樹脂で構成されるので、ハンマー３１に重量を効果的に付与することができる。また、付加質量部３４は、ハンマー本体２に質量板３，３を取り付けた後、それらの間を埋めるように充填されるので、第１実施形態と同様、共振音の発生を容易に防止することができる。
【００３４】
なお、本発明は、説明した実施形態に限定されることなく、種々の態様で実施することができる。例えば第１実施形態では、付加質量部４および質量板３を、それぞれ別個に形成しているが、これに代えて、これらの付加質量部と一方の質量板を鋳造などにより一体に成形してもよい。また、第２実施形態では、質量板３を取り付けた後、付加質量部３４を突出部３ｂ，３ｂの間に充填しているが、これに代えて、付加質量部３４をハンマー本体２との２色成形としてもよい。また、第２実施形態では、付加質量部３４を、タングステンを含有した合成樹脂で構成しているが、他の適当な高比重の合成樹脂を用いることが可能である。さらに、実施形態は、本発明を電子ピアノのハンマーに適用した例であるが、本発明を、これに限らず、シンセサイザなどの他のタイプの電子楽器に適用してもよいことは、もちろんである。その他、本発明の趣旨の範囲内で、細部を適宜、変更することが可能である。  
【符号の説明】
【００３５】
１  ハンマー
２  ハンマー本体
２ａ  取付面
３  質量板
３ｂ  突出部
４  付加質量部
７  鍵
３１  ハンマー
３４  付加質量部
【図１】
2005196091.tif 000003
【図２】
2005196091.tif 000004
【図３】
2005196091.tif 000005
【図４】
2005196091.tif 000006
【図５】
2005196091.tif 000007
【図６】
2005196091.tif 000008